(57)【要約】【課題】見本色に対応した再現色を得る調色の結果が与えられた色材の色域において最良の調色であることが提示でき、かつベテランの複数の調色者の各々が提供する再現色が同様の色味と視認される調色を行うことが可能な調色支援システムを提供する。【解決手段】本発明は、見本色の色度が再現色を調色する色材の色域外である場合、色域外に対応する再現色の色度を判定する色域外判定情報を求める色域外判定情報生成部を備え、色域外判定情報が、許容範囲において、色空間のＬ＊ａ＊ｂ＊座標系において、当該Ｌ＊ａ＊ｂ＊座標系の原点と見本色の色度とを結ぶ直線をａ＊ｂ＊に投影した投影線が成す色相角の範囲を示す色相角範囲と、Ｌ＊軸及び投影線からなるＬＣ（明度彩度）平面における、ＬＣ平面と直線とが成すＬＣ角の範囲を示すＬＣ角範囲とから規定される許容平面を含む。【選択図】図５
2019184346.tif 000002
【特許請求の範囲】
【請求項１】
見本色の色度が再現色の調整に用いる色材の色域内か色域外かの再現色域情報を得る再現色情報入手部と、
前記再現色域情報が前記見本色の色度が前記色域内であることを示す場合、前記色域内に対応する前記再現色の色度を判定する色域内判定情報を求める色域内判定情報生成部と、
前記再現色域情報が前記見本色の色度が前記色域外であることを示す場合、前記色域外に対応する前記再現色の色度を判定する色域外判定情報を求める色域外判定情報生成部と、
前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定部と、
前記再現色の色度が前記許容範囲に含まれているか否かの判定結果を提示する判定結果提示部と
を備え、
前記色域内判定情報及び前記色域外判定情報の各々が、前記許容範囲において、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線を軸としたＬＣ（明度彩度）平面における、当該投影線と前記直線とが成すＬＣ角の範囲を示すＬＣ角範囲とから規定される許容平面を含む
ことを特徴とする調色支援システム。
【請求項２】
前記色域外判定情報生成部が、
前記色材の色域と前記直線との交点を含む前記許容平面を、前記色相角範囲及び前記ＬＣ角範囲により形成する
ことを特徴とする請求項１に記載の調色支援システム。
【請求項３】
前記色相角範囲及び前記ＬＣ角範囲の各々が、前記Ｌ＊ａ＊ｂ＊座標系における明度を示すＬ＊軸と、前記原点と前記見本色のａ＊値及びｂ＊値の座標点とを結ぶ前記投影線である彩度を示すＣ軸と、前記ａ＊ｂ＊平面においてａ＊軸と前記Ｃ軸とが反時計回りに成す色相角Ｈとから構成されているＬＣＨ表色系において設定されている
ことを特徴とする請求項１または請求項２に記載の調色支援システム。
【請求項４】
前記判定結果提示部が、
前記色材の色域において、ＣＣＭ（コンピュータカラーマッチング）により求められる、インキ種類の各々の配合比による色度を、前記色域内判定情報あるいは前記色域外判定情報の許容範囲とともに提示する
ことを特徴とする請求項１から請求項３のいずれか一項に記載の調色支援システム。
【請求項５】
前記色相角範囲と前記ＬＣ角範囲とが複数の調色者の視認による実験において、同様の色味と知覚される範囲として決定されている
ことを特徴とする請求項１から請求項４のいずれか一項に記載の調色支援システム。
【請求項６】
再現色情報入手部が、見本色の色度が再現色の調整に用いる色材の色域内か色域外かの再現色域情報を得る再現色情報入手過程と、
色域内判定情報生成部が、前記再現色域情報が前記見本色の色度が前記色域内であることを示す場合、前記色域内に対応する前記再現色の色度を判定する色域内判定情報を求める色域内判定情報生成過程と、
色域外判定情報生成部が、前記再現色域情報が前記見本色の色度が前記色域外であることを示す場合、前記色域外に対応する前記再現色の色度を判定する色域外判定情報を求める色域外判定情報生成過程と、
再現色判定部が、前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定過程と、
判定結果提示部が、前記再現色の色度が前記許容範囲に含まれているか否かの判定結果を提示する判定結果提示過程と
を含み、
前記色域内判定情報及び前記色域外判定情報の各々が、前記許容範囲において、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線からなるＬＣ（明度彩度）平面における、当該投影線と前記直線とが成すＬＣ角の範囲を示すＬＣ角範囲とから規定される許容平面を含む
ことを特徴とする調色支援方法。
【請求項７】
コンピュータに、
見本色の色度が再現色の調整に用いる色材の色域内か色域外かの再現色域情報を得る再現色情報入手手段、
前記再現色域情報が前記見本色の色度が前記色域内であることを示す場合、前記色域内に対応する前記再現色の色度を判定する色域内判定情報を求める色域内判定情報生成手段、
前記再現色域情報が前記見本色の色度が前記色域外であることを示す場合、前記色域外に対応する前記再現色の色度を判定する色域外判定情報を求める色域外判定情報生成手段、
前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定手段、
前記再現色の色度が前記許容範囲に含まれているか否かの判定結果を提示する判定結果提示部手段
として実行させるプログラムであり、
前記色域内判定情報及び前記色域外判定情報の各々が、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線からなるＬＣ（明度彩度）平面における、当該投影線と前記直線とが成すＬＣ角の範囲を示すＬＣ角範囲とから規定される許容平面を含む前記許容範囲とする、
プログラム。
【発明の詳細な説明】
【技術分野】
【０００１】
本発明は、見本色に対応した色を再現する際、インキの調色結果の評価を支援する調色支援システム、調色支援方法及びプログラムに関する。
【背景技術】
【０００２】
従来から、印刷インキ、塗料、樹脂等において、複数の色材を直接混合し、依頼者が希望する色を再現し、提供することが行われている。
この色の再現においては、目標色と再現色との色の違いを、目視又は測色し、その色の差で再現色の合否を判定している（例えば、特許文献１参照）。
目視において目標色と再現色との色の違いを判定する場合、合否の判定は、調色技能者の経験や技能に大きく依存し、調色品質のバラツキを発生させる原因となる。このため、再現色を測色して数値化し、目標色と再現色との数値の差分により、客観的な合否判定が実施されている（例えば、特許文献２、特許文献３参照）。
【０００３】
上述した目標色と再現色とを各々数値化し、数値により客観的に目標色と再現色との色の違いを合否判定する場合、合否の判定は、Ｌ＊ａ＊ｂ＊表色系における各色のＬ＊ａ＊ｂ＊の数値（色度を示す座標値）から、色差であるΔＥあるいはΔＥ２０００等を計算し、その色差の数値の大小により、調色結果の合否を判定する場合が多い。
しかしながら、目標色の多くは、例えばＤＩＣカラーガイド（ＤＩＣグラフィックス株式会社製）等の紙の印刷媒体を下地に印刷された紙見本、また金属・プラスティック等の印刷媒体に印刷された色見本であり、再現色に使用される下地の印刷媒体と異なる種類が用いられることが多い。
【０００４】
このため、再現色、特に印刷インキの再現色は、印刷媒体に印刷されるインキ自体の膜厚が、厚くても数ミクロン程度と薄いため、その再現色は下地の印刷媒体の色の影響を大きく受ける。
また、見本色に使用される色材が、コストや耐性の問題から再現色に使用できない場合も多い。このため、コストや耐性を満足する種類の色材を用いることになるが、この色材の色域において、再現色が、見本色を再現不可能な場合がある。
この再現不可能な場合においても、依頼者が望む見本色に対応した再現色を得るための調色を実施することが求められる。
【先行技術文献】
【特許文献】
【０００５】
【特許文献１】特表２００４−５０６１８７号公報
【特許文献２】特開平４−３１４７６８号公報
【特許文献３】特表２００５−５２１８０６号公報
【発明の概要】
【発明が解決しようとする課題】
【０００６】
依頼者が望む見本色に対応した再現色を得る際、再現色を見本色の色味に近づけるため、ΔＥあるいはΔＥ２０００等の色差を単純に小さなものとする調色を行った場合、依頼者が見本色と再現色とを同様の色味としては認識しない。
このため、再現色を調色するために用いる色材の色域の範囲外（色域外）に見本色の色度が存在する場合、色差を用いた数値による合否判定は不可能と考えれており、ベテランの調色者が、見本色と再現色とを目視で確認し、同様の色味が得られるように、自身の感性で再現色を実現するための色材の調色を実施している。
【０００７】
上述したように、ベテランの調色者は、用いる色材に対応して、依頼者が望む見本色に対応した再現色を得る調色を実施する能力がある。
しかしながら、最良の調色を実施し、最良の再現色を依頼者に提供するが、ベテラン調色者は、その調色が与えられた色材の色域において最良のものであると証明する手段が無い。このため、依頼者が色材の調色の知識や色を観察する能力がない場合、見本色と再現色の色味のわずかな差を、不十分な調色の結果と認識し、無意味な再調色依頼が発生する。
【０００８】
また、ベテランの調色者の各々は、多くの場合、与えられた色材において、それぞれが最良の再現色を依頼者に提供する。しかし、ベテランの調色者の各々は、それぞれ自身の感性で再現色を実施するため、そもそも色域外の色度の見本色を、色域内の色度の再現色により対応させる際、異なる調色が行われることで再現色の色度が異なり、同一の色見本に対して、同様の色味の再現色を得ることができない。
【０００９】
本発明は、上述した点を鑑みてなされたもので、見本色に対応した再現色を得る調色の結果が与えられた色材の色域において最良の調色であることが提示でき、かつベテランの複数の調色者の各々が提供する再現色が同様の色味と視認される調色を行うことが可能な調調色支援システム、調色支援方法及びプログラムを提供することを目的とする。
【課題を解決するための手段】
【００１０】
この発明は上述した課題を解決するためになされたもので、本発明の調色支援システムは、見本色の色度が再現色の調整に用いる色材の色域内か色域外かの再現色域情報を得る再現色情報入手部と、前記再現色域情報が前記見本色の色度が前記色域内であることを示す場合、前記色域内に対応する前記再現色の色度を判定する色域内判定情報を求める色域内判定情報生成部と、前記再現色域情報が前記見本色の色度が前記色域外であることを示す場合、前記色域外に対応する前記再現色の色度を判定する色域外判定情報を求める色域外判定情報生成部と、前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定部と、前記再現色の色度が前記許容範囲に含まれているか否かの判定結果を提示する判定結果提示部とを備え、前記色域内判定情報及び前記色域外判定情報の各々が、前記許容範囲において、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線を軸としたＬＣ（明度彩度）平面における、当該投影線と前記直線とが成すＬＣ角の範囲を示すＬＣ角範囲とから規定される許容平面を含むことを特徴とする。
【００１１】
本発明の調色支援システムは、前記色域外判定情報生成部が、前記色材の色域と前記直線との交点を含む前記許容平面を、前記色相角範囲及び前記ＬＣ角範囲により形成することを特徴とする。
本発明の調色支援システムは、前記色相角範囲及び前記ＬＣ角範囲の各々が、前記Ｌ＊ａ＊ｂ＊座標系における明度を示すＬ＊軸と、前記原点と前記見本色のａ＊値及びｂ＊値の座標点とを結ぶ前記投影線である彩度を示すＣ軸と、前記ａ＊ｂ＊平面においてａ＊軸と前記Ｃ軸とが反時計回りに成す色相角Ｈとから構成されているＬＣＨ表色系において設定されていることを特徴とする。
【００１２】
本発明の調色支援システムは、前記判定結果提示部が、前記色材の色域において、ＣＣＭ（コンピュータカラーマッチング）により求められる、インキ種類の各々の配合比による色度を、前記色域内判定情報あるいは前記色域外判定情報の許容範囲とともに提示することを特徴とする。
【００１３】
本発明の調色支援システムは、前記色相角範囲と前記ＬＣ角範囲とが複数の調色者の視認による実験において、同様の色味と知覚される範囲として決定されていることを特徴とする。
【００１４】
本発明の調色支援方法は、再現色情報入手部が、見本色の色度が再現色の調整に用いる色材の色域内か色域外かの再現色域情報を得る再現色情報入手過程と、色域内判定情報生成部が、前記再現色域情報が前記見本色の色度が前記色域内であることを示す場合、前記色域内に対応する前記再現色の色度を判定する色域内判定情報を求める色域内判定情報生成過程と、色域外判定情報生成部が、前記再現色域情報が前記見本色の色度が前記色域外であることを示す場合、前記色域外に対応する前記再現色の色度を判定する色域外判定情報を求める色域外判定情報生成過程と、再現色判定部が、前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定過程と、判定結果提示部が、前記再現色の色度が前記許容範囲に含まれているか否かの判定結果を提示する判定結果提示過程とを含み、前記色域内判定情報及び前記色域外判定情報の各々が、前記許容範囲において、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線を軸としたＬＣ（明度彩度）平面における、当該投影線と前記直線とが成すＬＣ角の範囲を示すＬＣ角範囲とから規定される許容平面を含むことを特徴とする。
【００１５】
本発明のプログラムは、コンピュータに、見本色の色度が再現色の調整に用いる色材の色域内か色域外かの再現色域情報を得る再現色情報入手手段、前記再現色域情報が前記見本色の色度が前記色域内であることを示す場合、前記色域内に対応する前記再現色の色度を判定する色域内判定情報を求める色域内判定情報生成手段、前記再現色域情報が前記見本色の色度が前記色域外であることを示す場合、前記色域外に対応する前記再現色の色度を判定する色域外判定情報を求める色域外判定情報生成手段、前記色域内である場合、前記再現色の色度が前記色域内判定情報の示す許容範囲に含まれているか否か、また前記色域外である場合、前記再現色の色度が前記色域外判定情報の示す許容範囲に含まれているか否かの判定を行う再現色判定手段、前記再現色の色度が前記許容範囲に含まれているか否かの判定結果を提示する判定結果提示部手段として実行させるプログラムであり、前記色域内判定情報及び前記色域外判定情報の各々が、前記許容範囲において、色空間のＬ＊ａ＊ｂ＊座標系において、当該Ｌ＊ａ＊ｂ＊座標系の原点と前記見本色の色度とを結ぶ直線をａ＊ｂ＊平面に投影した投影線が成す色相角の範囲を示す色相角範囲と、Ｌ＊軸及び前記投影線を軸としたＬＣ（明度彩度）平面における、当該投影線と前記直線とが成すＬＣ角の範囲を示すＬＣ角範囲とから規定される許容平面を含む前記許容範囲とする、プログラムである。
【発明の効果】
【００１６】
この発明によれば、見本色に対応した再現色を得る調色の結果が与えられた色材の色域において最良の調色であることが提示でき、かつベテランの複数の調色者の各々が提供する再現色が同様の色味と視認される調色を行うことが可能な調色支援システム、調色支援方法及びプログラムを提供することができる。
【図面の簡単な説明】
【００１７】
【図１】本発明におけるＬ＊ａ＊ｂ＊座標系を構成する２次元座標系ａ＊ｂ＊における色相角Ｈに対する色度の許容範囲である色相角範囲Ｈwを示す図である。
【図２】本発明におけるＬ＊ａ＊ｂ＊座標系におけるＬ＊軸とＣ＊軸とから構成される２次元座標系Ｌ＊Ｃ＊ における明度彩度角ＬＣの許容範囲を示す明度彩度角範囲ＬＣwを示す図である。
【図３】色相角範囲及び明度彩度角範囲により規定される、目標とする色度を許容する再現色の色度の許容範囲を示す図である。
【図４】色材の色域に見本色の色度が含まれない場合において、許容範囲平面領域２００により形成される許容範囲領域を説明する図である。
【図５】本発明の一実施形態である色域外判定情報を用い、見本色を再現する色材の色の配合による色合わせを行う調色処理を支援する調色支援システムの構成例を示すブロック図である。
【図６】記憶部１７に予め書き込まれて記憶されている判定情報データテーブルの構成例を示す図である。
【図７】判定結果提示部１６が提示する再現色の色度と許容範囲との対応を示す表示画面の図である。
【図８】本実施形態による調色支援システムによる見本色に対応する再現色の調色の処理の動作例を示すフローチャートである。
【図９】本実施形態による調色支援システムを用いた遠隔調色を行う構成例を示す図である。
【図１０】本実施形態の調色支援システム１を用いて行う遠隔調色の処理の一例を説明するシーケンス図である。
【発明を実施するための形態】
【００１８】
本発明は、見本色に対して所定の色材（例えば、所定の種類のインキ）の調色を行い再現色として色を再現する際、見本色の色度に対して再現色の色度が満足した範囲で調色されたかを判定するための指針を提示している。
実施形態を説明する前に、以下に、見本色に対応して調色して生成した再現色の客観的な合否判定を行う本発明における判定基準（判定情報）を説明する。
【００１９】
図１は、本発明におけるＬ＊ａ＊ｂ＊座標系を構成する２次元座標系ａ＊ｂ＊における色相角Ｈに対する色度の許容範囲である色相角範囲Ｈwを示す図である。
この図１において、直線Ｌ１は、例えば、２次元座標系ａ＊ｂ＊の原点を始点とし、色相座標Ａを通る直線（半直線、彩度Ｃ＊軸）である。ここで、色相座標Ａは、見本色の色相（色相角Ｈ）及び彩度（２次元座標系ａ＊ｂ＊の原点からの距離）を示す座標値（ａ＊，ｂ＊）である。
【００２０】
上述した色相角Ｈは、２次元座標系ａ＊ｂ＊において、直線Ｌ１とａ＊軸とが成す角である。色相角範囲Ｈwは、直線Ｌ１の両側に設けられた第１色相角範囲Ｈw＿１及び第２色相角範囲Ｈw＿２の各々から構成されている。第１色相角範囲Ｈw＿１及び第２色相角範囲Ｈw＿２の各々は、同一の角度範囲でもよいが、色相の移動方向における人間の色変化の許容範囲に対応して、一方を他方に比較して広くしたり、狭くしたりしても良い。色相角範囲Ｈwは、複数のベテランの調色者の調色の実験における観察に基づき、直線Ｌ１を中心に±５°の範囲内に、望ましくは±３°の範囲内に、また高い精度を必要とする場合、±１°の範囲内に設定する。
上述した色相角範囲Ｈwは、たとえば、複数のベテランの調色者などにより、色材の種類毎に、各種類における所定の色の色材の印刷物を観察することにより、同様の色味と視覚される色相角の範囲として予め決定されている。
【００２１】
図２は、本発明におけるＬ＊ａ＊ｂ＊座標系におけるＬ＊軸とＣ＊軸とから構成される２次元座標系Ｌ＊Ｃ＊ における明度彩度角ＬＣの許容範囲を示す明度彩度角範囲ＬＣwを示す図である。この図２は、本実施形態において調色の評価に用いるＬＣＨ表色系の概念を説明している。このＬＣＨ表色系は、Ｌ＊ａ＊ｂ＊座標系における明度を示すＬ＊軸と、ａ＊ｂ＊座標系でａ＊軸から、原点と見本色のａ＊値及びｂ＊値の座標点とを結ぶ線分（Ｃ軸）までの反時計回りに成す角度、すなわち色相の角度を示す色相角Ｈと、彩度を示す色相角Ｈに形成される上記Ｃ軸とから構成されている。この彩度は、Ｃ軸上における原点とａ＊値及びｂ＊値の座標点との距離である。本実施形態においては、調色の結果に対して、人間の視認する色味を、明度Ｌと色相Ｈと彩度ＣとからなるＬＣＨ表色系により判定（あるいは評価）している。
この明度彩度角範囲ＬＣwは、上述した色相角範囲Ｈwにおける彩度が高くなるに従い色相の変化に人間の視覚が鈍感になるのと同様に、彩度が高くなるに従い、明度の変化にも人間の視覚が鈍感になるとの推定により、本発明の発明者が考案した判定基準である。
直線Ｌ２は、Ｌ＊ａ＊ｂ＊座標系において、原点を始点とし、見本色の色度座標Ｂを通る直線である。色度座標Ｂをａ＊ｂ＊座標系に投影すると、彩度Ｃ＊軸の形成の基準となる色相及び彩度を示す色度座標Ａとなる。
【００２２】
上述した明度彩度角範囲ＬＣwは、直線Ｌ２の両側に設けられた第１明度彩度角範囲ＬＣw＿１及び第２明度彩度角範囲ＬＣw＿２の各々から構成されている。第１明度彩度角範囲ＬＣw＿１及び第２明度彩度角範囲ＬＣw＿２の各々は、色相角範囲Ｈwの場合と同様に同一の角度範囲でもよいが、明度の移動方向における人間の色変化の許容範囲に対応して、一方を他方に比較して広くしたり、狭くしたりしても良い。明度彩度角範囲ＬＣwは、色相角範囲Ｈwの場合と同様に、複数のベテランの調色者の調色の実験における観察に基づき、直線Ｌ２を中心に±５°の範囲内に、望ましくは±３°の範囲内に、また高い精度を必要とする場合、±１°の範囲内に設定する。
このため、明度彩度角範囲ＬＣwは、色相角範囲Ｈwと同様に、複数のベテランの調色者などにより、色材の種類毎に、各種類における所定の色の色材の印刷物を観察することにより、同様の色味と視覚される明度彩度角の範囲として予め決定されている。
【００２３】
図３は、色相角範囲及び明度彩度角範囲により規定される、目標とする色度を許容する再現色の色度の許容範囲平面領域を示す図である。許容範囲平面領域２００は、Ｌ＊ａ＊ｂ＊座標系において、原点を頭頂点とした、色相角範囲Ｈwを示す直線Ｌ３＿１及びＬ３＿２と、明度彩度角範囲ＬＣwを示す直線Ｌ４＿１、Ｌ４＿２とが形成する四角錐形状の空間中に、原点と見本色の色の座標値とを結ぶ直線に対して垂直に形成される。また、許容範囲平面領域２００は、上記四角錐形状の空間において、見本色の色度が色材の再現可能な色域（以下、単に色域）に含まれていれば、見本色の色度座標Ｂを含む位置に形成される。
【００２４】
すなわち、直線Ｌ３＿１、Ｌ３＿２、Ｌ４＿１、Ｌ４＿２の各々と接する点が底面の頂点となる。これにより、許容範囲平面領域２００は、上記四角柱の形状及び見本色の色度とに対応して決定され、見本色の色度に対する許容範囲を示す色域内判定情報の一つとして、設定される。そして、見本色の色度が色材の色域に含まれる場合、見本色の彩度に対する許容値を含むため、許容範囲平面領域２００を基準面として含む、許容範囲上限領域２００＿２を底面とし、許容範囲下限領域２００＿１を上面として形成される四角柱形状（四角錐台）の許容範囲立体領域２００Ｂが、上記色域内判定情報とされる。この許容範囲立体領域２００Ｂにおいて、許容範囲平面領域２００と許容範囲上限領域２００＿２との距離が、許容範囲下限領域２００＿１と許容範囲平面領域２００との距離より大きく設定されている。すなわち、許容範囲立体領域２００Ｂは、基準面の許容範囲平面領域２００に対して、低彩度側の許容範囲に比較して、高彩度側の許容範囲が広く設定されている。
【００２５】
一方、見本色の色度が色材の色域に含まれない場合、色度座標Ｂから直線Ｌ２上を座標点を原点に対して移動させ、この移動する座標点が色材の色域の最外殻（色域の３次元形状の外周面）に含まれた位置の座標を、擬似見本色の色度の座標Ｂ’とする。そして、色度の座標Ｂ’が含まれる位置に、色域外判定情報として上記許容範囲平面領域２００が生成される。
図４は、色材の色域に見本色の色度が含まれない場合において、許容範囲平面領域２００により形成される許容範囲領域を説明する図である。図４（ａ）は、座標Ｂ’における許容範囲平面領域２００と、色材の色域の最外殻３０１の形状との位置関係を示している。
【００２６】
すなわち、図４（ａ）は、直線Ｌ２を含み、許容範囲平面領域２００に対して垂直な面により、図３の色度座標Ｂ及び色度座標Ｂ’近傍の断面を示している。一般的に色域の最外殻の３次元形状は、図４（ａ）に示す様に、凹凸が存在した形状を示している。
許容範囲平面領域２００が接触している座標Ｂ’の位置に対して、より大きな凸形状の最外殻部分３０１＿Ａ、３０１＿Ｂは、許容範囲平面領域２００と交差する。
【００２７】
図４（ｂ）は、図４（ａ）における色材の色域における最外殻３０１を許容範囲平面領域２００により切断した切断面を示している。許容範囲平面領域２００による最外殻部分３０１＿Ａの切断面が許容範囲領域２０１＿Ａとなり、最外殻部分３０１＿Ｂの切断面が許容範囲領域２０１＿Ｂとなる。すなわち、許容範囲平面領域２００に含まれる色材の色域は、許容範囲領域２０１＿Ａ及び許容範囲領域２０１＿Ｂの各々から構成される許容範囲領域２０１となる。これにより、許容範囲領域２０１は、上記許容範囲平面領域２００の最外殻における位置に対応して決定され、見本色の色度に対する許容範囲を示す色域外判定情報として設定される。
【００２８】
上述した処理により、見本色の色度を示す色度座標Ｂに対し、色材の色域内において最善の色度の座標Ｂ’が求められ、この座標Ｂ’の色度に対して、人間が同様と視覚する許容範囲領域２０１が設定される。
これにより、上記色域外判定情報を用いることで、ユーザの指定する色材における再現可能な色域において、ユーザの提示する見本色の色度が色域外となった際、ユーザが望む見本色に彩度が最も近い擬似見本色の色度を求め、この色域外判定情報を満足していることを示すことで、この擬似見本色の色度を再現するための色材の調色処理が、適性に行われたことを客観的にユーザに示すことができる。
【００２９】
また、色域外判定情報を用いることで、上記擬似見本色を異なるタイミングあるいは異なる工場で色材を調整し、調整した色材を所定の印刷媒体に印刷した際、印刷結果が人間の視覚に対応して同様に見える範囲で、擬似見本色の色度に対応した印刷結果が得られたか否かを客観的に判定することができるとして、調色結果について上記ユーザを納得させることができ、無意味な再調色を行うことを低減することができる。
【００３０】
図５は、本発明の一実施形態である色域外判定情報を用い、見本色を再現する色材の色の配合による色合わせを行う調色処理を支援する調色支援システムの構成例を示すブロック図である。図５において、調色支援システム１は、再現色情報入手部１１、判定情報振分部１２、色域内判定情報生成部１３、色域外判定情報生成部１４、再現色判定部１５、判定結果提示部１６及び記憶部１７の各々を備えている。
【００３１】
再現色情報入手部１１は、外部装置からユーザが再現の望む見本色の情報（例えば、分光反射率）と、この見本色がユーザの指定する色材により再現可能か否か（見本色が指定する色材の色の配合により再現可能な色域に含まれているか否か）の再現色域情報を入力する。ここで、外部装置とは、例えば、色材の種類毎に印刷で再現可能な全ての再現色のデータ（再現可能な色域のデータ）を有する、ＤＩＣグラフィックス株式会社のＤＩＣ  ＣＯＬＯＲＣＬＯＵＤ（登録商標）のサーバ（カラークラウドサーバ）などである。
【００３２】
判定情報振分部１２は、上記再現色域情報が見本色が色域内である場合、当該見本色に対する色域内判定情報の生成指示を、色域内判定情報生成部１３に対して出力する。一方、判定情報振分部１２は、上記再現色域情報が見本色が色域外である場合、当該見本色に対する色域外判定情報の生成指示を、色域外判定情報生成部１４に対して出力する。
【００３３】
色域内判定情報生成部１３は、判定情報振分部１２から生成指示が供給された場合、見本色の情報を再現色情報入手部１１から読み込む。そして、色域内判定情報生成部１３は、上記カラークラウドサーバからユーザが指定する色材の色域のデータを読み込む。また、色域内判定情報生成部１３は、記憶部１７に記憶されている判定情報データテーブルを参照して、色相角範囲Ｈw、明度彩度角範囲ＬＣw及び彩度許容幅の各々を読み込む。
【００３４】
図６は、記憶部１７に予め書き込まれて記憶されている判定情報データテーブルの構成例を示す図である。図６において、各レコードには、色材識別情報に対応して、色相角範囲Ｈw、明度彩度角範囲ＬＣw及びその他の許容範囲項目の各々の欄が設けられている。色材識別情報は、色材の種類を特定する識別情報である。色相角範囲Ｈwは、色相角Ｈにおける色味と同様と視覚される色相角の範囲として予め決定された角度範囲である。明度彩度角範囲ＬＣwは、明度彩度角ＬＣにおける色味と同様と視覚される明度彩度角の範囲として予め決定された角度範囲である。その他の許容範囲項目は、上述した彩度許容幅を含む他のパラメータの許容範囲を示す。
【００３５】
図１に戻り、色域内判定情報生成部１３は、判定情報データテーブルを参照して、ユーザが指定する色材の色材識別情報に対応する色相角範囲Ｈw、明度彩度角範囲ＬＣw及び彩度許容幅の各々を読み込み、調色した再現色が適切か否かを判定するために用いる、許容範囲立体領域としての色域内判定情報を生成する。
【００３６】
色域外判定情報生成部１４は、判定情報振分部１２から生成指示が供給された場合、見本色の情報を再現色情報入手部１１から読み込む。そして、色域外判定情報生成部１４は、上記カラークラウドサーバからユーザが指定する色材の色域のデータを読み込む。また、色域外判定情報生成部１４は、記憶部１７に記憶されている判定情報データテーブルを参照して、色相角範囲Ｈw及び明度彩度角範囲ＬＣwの各々を読み込む。
そして、色域外判定情報生成部１４は、調色した再現色が適切か否かを判定するために用いる、許容範囲平面領域としての色域外判定情報を生成する。
【００３７】
再現色判定部１５は、見本色の情報（見本色の分光反射率）からＣｘｆファイルを生成し、ユーザが指定した色材の色材識別情報とともに、外部のＣＣＭサーバに対して送信する。そして、再現色判定部１５は、外部のＣＣＭサーバが求めた、色材の配合の色の組合わせ及び色の配合比を入力する。
これにより、ユーザは、上記色材の色の配合の組合わせ及び色の配合比に基づき、色材をの色配合して配合色材を作成する。そして、ユーザは、作成した配合色材を所定の印刷媒体に印刷し、印刷された再現色の分光反射率を計測し、調色支援システム１へ所定の入力手段により入力する。
【００３８】
また、再現色判定部１５は、入力された分光反射率から求められる色度を、Ｌ＊ａ＊ｂ＊座標系における色度座標とし、この再現色の色度座標の評価を行う。
このとき、再現色判定部１５は、色材の色域に見本色の色度が含まれる場合、再現色の色度を色域内判定情報に規定する許容範囲に含まれているか否かを判定し、一方、色材の色域に見本色の色度が含まれない場合、再現色の色度を色域外判定情報に規定する許容範囲に含まれているか否かを判定する。
【００３９】
判定結果提示部１６は、再現色判定部１５が判定した、再現色の色度が許容範囲に含まれているか否かの判定の結果の表示を行う。
図７は、判定結果提示部１６が提示する再現色の色度と許容範囲との対応を示す表示画面（不図示の表示手段の表示画面）の図である。図７は、色域外判定情報における許容範囲平面領域２００と、再現色の色度座標との関係を示している。
図７において、見本色の色度座標５００と、ユーザの指定した色材の色域とに基づいて、許容範囲平面領域２００が形成されている。
【００４０】
図７（ａ）は、再現色の色度座標３００が色相角範囲Ｈwの示す範囲に含まれているか否かの判定結果を表示する表示画面の図である。色相角範囲Ｈwにおいて、許容範囲平面領域２００における許容範囲領域２０１内の色を、許容範囲平面領域２００における許容範囲領域２０１外の領域の色を異ならせる。
この図７（ａ）において、判定結果提示部１６は、許容範囲平面領域２００における許容範囲領域２０１内に色度座標３００が含まれている場合、色度座標３００を示す点を緑色で表示し、許容範囲領域２０１に含まれていない場合、色度座標３００を示す点を赤色で表示し、許容範囲領域２０１に含まれているか否かを、異なる色でビジュアル的に表示する。
ここで、判定結果提示部１６は、色度座標３００が許容範囲領域２０１内に含まれていない場合、図７（ａ）の表示画面において、色度座標３００と、色相角範囲Ｈwにおける許容範囲領域２０１の座標との差分（ａ＊軸及びｂ＊軸の各々の座標の差分）を数値で表示するようにしても良い。
【００４１】
図７（ｂ）は、再現色の色度座標３００が明度彩度角範囲ＬＣwの示す範囲に含まれているか否かの判定結果を表示する表示画面の図である。図７（ａ）と同様に、明度彩度角範囲ＬＣwにおいて、許容範囲平面領域２００における許容範囲領域２０１内の色を、許容範囲平面領域２００における許容範囲領域２０１外の領域の色を異ならせる。
この図７（ｂ）において、判定結果提示部１６は、許容範囲平面領域２００における許容範囲領域２０１内に色度座標３００が含まれている場合、色度座標３００を示す点を緑色で表示し、許容範囲領域２０１に含まれていない場合、色度座標３００を示す点を赤色で表示し、許容範囲領域２０１に含まれているか否かを、異なる色でビジュアル的に表示する。
ここで、判定結果提示部１６は、色度座標３００が許容範囲領域２０１内に含まれていない場合、図７（ｂ）の表示画面において、明度彩度角範囲ＬＣwにおける色度座標３００と、許容範囲領域２０１の座標との差分（Ｌ＊軸及びＣ＊軸の各々の座標の差分）を数値で表示するようにしても良い。
【００４２】
図８は、本実施形態による調色支援システムによる見本色に対応する再現色の調色の処理の動作例を示すフローチャートである。以下、これら図５及び図８を用いて、本実施形態による調色支援システムによる見本色に対応する再現色の調色について説明する。
【００４３】
ステップＳ１０１：
再現色情報入手部１１は、ユーザが色の再現を希望する見本色と、この見本色を再現するために用いる、ユーザが指定する色材との情報を、所定の外部装置、あるいは入力手段（不図示、例えばキーボードなど）から入力する。
【００４４】
ステップＳ１０２：
再現色情報入手部１１は、供給された見本色の情報（分光反射率）と、指定された色材の種類の情報とを、色材毎に再現可能な色域をデータベースとして有している色域サーバ（例えば、ＤＩＣ  ＣＯＬＯＲＣＬＯＵＤ（登録商標）のサーバなど）にアクセスし、見本色がユーザの指定した色材により再現可能か否かの情報を取得する。ここで、上記色域サーバは、入力された種類の色材の色域に見本色が含まれるか否かの判定を行い、判定結果を再現色域情報として調色支援システム１に対して出力する。
これにより、再現色情報入手部１１は、色域サーバから再現色域情報を入力する。
【００４５】
ステップＳ１０３：
判定情報振分部１２は、再現色域情報に基づき、見本色の色度が色材の色域に含まれているか否かの判定を行う。
このとき、判定情報振分部１２は、見本色の色度が色材の色域に含まれている場合、処理をステップＳ１０４へ進め、一方、見本色の色度が色材の色域に含まれていない場合、処理をステップＳ１０５へ進める。
【００４６】
ステップＳ１０４：
色域内判定情報生成部１３は、再現色情報入手部１１から見本色の情報と、ユーザの指定する色材の種類の情報を読み込む。
また、色域内判定情報生成部１３は、記憶部１７の判定情報データテーブルを参照し、ユーザが指定する種類の色材のレコードから、色相角範囲Ｈwと、明度彩度角範囲ＬＣwと、彩度許容範囲幅との各々を読み込む。
そして、色域内判定情報生成部１３は、すでに説明したように、見本色の分光反射率と、色相角範囲Ｈwと、明度彩度角範囲ＬＣwと、彩度許容範囲幅とに対応した色域内判定情報を生成する。
【００４７】
ステップＳ１０５：
色域外判定情報生成部１４は、再現色情報入手部１１から見本色の情報と、ユーザの指定する色材の種類の情報を読み込む。
また、色域外判定情報生成部１４は、記憶部１７の判定情報データテーブルを参照し、ユーザが指定する種類の色材のレコードから、色相角範囲Ｈw及び明度彩度角範囲ＬＣwの各々を読み込む。
そして、色域外判定情報生成部１４は、すでに説明したように、見本色の分光反射率と、色相角範囲Ｈwと、明度彩度角範囲ＬＣwとに対応した色域外判定情報を生成する。
【００４８】
ステップＳ１０６：
再現色判定部１５は、色材の種類と、この色材で再現する見本色の分光反射率とからＣｘｆファイルを生成し、外部装置であるＣＣＭサーバに対してこのＣｘｆファイルを送信し、色材の色の配合の組合わせと色の配合比との推定を依頼する。
そして、再現色判定部１５は、コンピュータカラーマッチングの結果として、色材の色の配合の組合わせと、色の配合比とをＣＣＭサーバから入力する。
【００４９】
ステップＳ１０７：
再現色判定部１５は、色材の色の配合の組合わせと、色の配合比とを表示画面に表示し、調色を行う作業者（以後、単に作業者）に対して提示する。
作業者は、表示画面に表示される色材の色の配合の組合わせと色の配合比とに基づき、組合わせに用いる色材を配合して配合色材を作成する。
そして、作業者は、作成した配合色材を所定の印刷媒体に印刷し、分光反射率計などにより印刷結果の再現色の分光反射率を測定する。
【００５０】
ステップＳ１０８：
作業者は、調色支援システム１に対して、測定した再現色の分光反射率を、入力手段から入力し、Ｌ＊ａ＊ｂ＊座標系における色度座標を介して、明度Ｌと色相Ｈと彩度Ｃとの座標値からなる色度としてＬＣＨ座標系の座標値に変換する。
これにより、再現色判定部１５は、見本色の色度が色材の色域外の場合、再現色の色度が色域外判定情報に示す許容範囲内に含まれているか否の判定を行うかの判定を行う。
また、再現色判定部１５は、見本色の色度が色材の色域内の場合、再現色の色度が色域内判定情報に示す許容範囲内に含まれているか否の判定を行うかの判定を行う。
このとき、再現色判定部１５は、再現色の色度が許容範囲内に含まれている場合、処理をステップＳ１０９へ進める。一方、再現色判定部１５は、再現色の色度が許容範囲内に含まれていない場合、処理をステップＳ１１０へ進める。
【００５１】
ステップＳ１０９：
判定結果提示部１６は、図７（ａ）及び図７（ｂ）に示す表示画面において、再現色の色度の座標３００が許容範囲に含まれている場合、図２に示すＬＣＨ座標系において、再現色の色度座標３００を例えば緑色で表示する。そして、判定結果提示部１６は、現時点の色材の種類、色材の色の配合の組合わせ及び色の配合比を表示し、調色が問題なく見本色を再現した再現色が得られることを、ユーザに対して通知する。
【００５２】
ステップＳ１１０：
判定結果提示部１６は、図７（ａ）及び図７（ｂ）に示す表示画面において、再現色の色度座標３００が許容範囲に含まれていない場合、再現色の色度座標３００を、ＬＣＨ座標系において許容範囲に含まれている場合と異なる色、例えば赤色で表示する。そして、判定結果提示部１６は、現時点の色材の種類、色材の色の配合の組合わせ及び色の配合比を表示し、再現色の色度と、許容範囲の座標との差分を表示画面に表示し、調色を行うことを促すことを示すため、ユーザに対して通知する。
【００５３】
ステップＳ１１１：
調色者は、図７（ａ）及び図７（ｂ）に示す表示画面において、図２に示すＬＣＨ座標系における再現色の色度座標３００と許容範囲との対応関係と、再現色の色度及び許容範囲の座標の差分との各々を確認する。また、調色者は、配合色材における組合わせた色材の各々の色の配合比を変更する調色の作業を行う。
【００５４】
ステップＳ１１２：
調色者は、ＬＣＨ座標系における再現色の色度座標３００と許容範囲との対応関係と、ＬＣＨ座標系における再現色の色度及び許容範囲の座標の差分とから、色の配合比をどの程度変更するかの指針を、現在の明度Ｌと色相Ｈと彩度Ｃとの数値（座標値）に基づいて、自身の経験値から推定する。
そして、調色者は、色材の色の配合組合わせと、調整後の色材の色の配合比とを、入力手段から調色支援システム１に対して入力する。
これにより、再現色判定部１５は、色の配合組合わせと、調整者の調整後における色材の色の配合比とを入力し、処理をステップＳ１０７へ進める。
【００５５】
上述したように、本実施形態によれば、上記調色支援システム１において、色域外判定情報を用いることで、ユーザの指定する色材における再現可能な色域において、ユーザの提示する見本色の色度が色域外となった際、ユーザが望む見本色に彩度が最も近い擬似見本色の色度を求め、この擬似見本色の色度を再現した際、複数の人間に同様に認識される色味と視認される許容範囲内で、擬似見本色を再現した再現色が得られていることが判り、調色処理を効率的に行うことができる。
また、本実施形態によれば、上記色域外判定情報の示す許容範囲内で、擬似見本色として再現されていることをビジュアル的にユーザに示すことができ、かつ色材の色域内で最も見本色に近い色味の擬似見本色の色度を得るための色材の調色処理が、適性に行われたことを客観的にユーザに示すことができる。
【００５６】
次に、本実施形態による調色支援システム１を応用した遠隔調色について説明する。この遠隔調色の応用は、例えば、調色者が在駐しない印刷工場などが、調色者の常駐する調色管理センタに見本色を再現するための調色を依頼する際に用いることが可能である。
図９は、本実施形態による調色支援システムを用いた遠隔調色を行う構成例を示す図である。図９において、調色支援システム１、カラークラウドサーバ２、ＣＣＭサーバ３及び作業端末４の各々が、ネットワーク５（インターネット等の通信回線を含む）を介して、データの送受信を行う構成として接続されている。
【００５７】
カラークラウドサーバ２は、色材の種類毎に印刷で再現可能な全ての再現色のデータ（再現可能な色域のデータ）を、データベースとして有している。
ＣＣＭサーバ３は、調色支援システム１から供給されるＣｘｆファイルにより、所定の種類の色材により見本色を再現する色材の色の配合組合わせと色の配合比とを求める。
作業端末４は、例えば、遠隔地の工場などに配置されているパーソナルコンピュータあるいはサーバなどである。
遠隔地とは、調色支援システム１を用いて調色を行う調色者が常駐している所定の場所から離れた位置を示している。例えば、調色支援システム１が東京の調色センターに配置されており、作業端末４が九州の印刷工場に配置されている場合、遠隔調色を行うことになる。
【００５８】
図１０は、本実施形態の調色支援システム１を用いて行う遠隔調色の処理の一例を説明するシーケンス図である。
処理Ｆ１：
遠隔地の印刷工場の担当者（以下、単に担当者）は、印刷工場の作業端末４により、調色支援システム１に対して調色情報を送信する。この調色情報は、見本色の分光反射率、印刷を予定している印刷媒体である予定印刷媒体の情報（予定印刷媒体の種類、予定印刷媒体の分光反射率）、色材の種類の情報を含む。
【００５９】
処理Ｆ２：
調色支援システム１は、見本色及び予定印刷媒体の各々の分光反射率によりＣｘｆファイルを作成する。
このとき、図示はしないが、調色支援システム１は、カラークラウドサーバ２に対して、見本色の色度がユーザの指定した種類の色材（以下、インキとして説明）の再現可能な色域に含まれているかの確認を行い、すでに説明した許容範囲（色域外判定情報あるいは色域内判定情報）の作成を行っている。
【００６０】
処理Ｆ３：
そして、調色支援システム１は、ＣｘｆファイルをＣＣＭサーバ３に対して送信し、ユーザの指定した種類のインキよる色の配合組合わせと色の配合比との算出を依頼する。
【００６１】
処理Ｆ４：
ＣＣＭサーバ３は、調色支援システム１から供給されるＣｘｆファイルにより、すなわち見本色の分光反射率及び予定印刷媒体の分光反射率に従い、インキの色の配合組合わせと、その色の配合比とを算出する。
【００６２】
処理Ｆ５：
ＣＣＭサーバ３は、算出したインキの色の配合組合わせ及びその色の配合比の各々を、調色支援システム１に対して送信する。
【００６３】
処理Ｆ６：
調色支援システム１は、見本色を再現するためのインキの色の配合組合わせ及びその色の配合比の各々からなる配合情報をＣＣＭサーバ３から入力し、この配合情報を表示画面に表示する。
これにより、調色者は、表示される配合情報に基づき、インキの色を配合し配合インキを作成し、この配合インキを予定印刷媒体と同様の種類の印刷媒体である調色に用いる印刷媒体（調色印刷媒体）に印刷する。
そして、調色者は、調色印刷媒体に印刷した配合インキの再現色の分光反射率を計測し、調色支援システム１に計測した分光反射率を入力する。
【００６４】
処理Ｆ７：
調色支援システム１は、再現色の分光反射率をＬ＊ａ＊ｂ＊座標系における色度座標に変換し、見本色の色度及びインキの種類による色域によりすでに求めている許容範囲（色域外判定情報または色域内判定情報）に入っているか否かの判定を行う。
そして、調色者は、再現色の色度が許容範囲に入っている場合、再度の調色を行う必要が無く、見本色を再現する調色が行われたため、処理Ｆ８を行う。
一方、調色者は、再現色の色度が許容範囲に入っていない場合、見本色を再現する調色が十分に行われておらず、再度の調色を行う必要があるため、処理Ｆ１０を行う。
【００６５】
処理Ｆ８：
調色支援システム１は、調色印刷媒体で求めた再現色の分光反射率、ユーザの指定する種類のインキの各色の配合組合わせ及び色の配合比、調色印刷媒体の分光反射率を含むインキ調色情報を、作業端末４に対して送信する。
【００６６】
処理Ｆ９：
作業端末４は、調色支援システム１から供給されるインキ調色情報を、表示画面に対して表示する。
印刷工場の担当者は、インキ調色情報によるインキの各色の配合組合わせ及び色の配合比に基づき、ユーザが指定する種類のインキにより配合インキを作成する。
このとき、担当者は、製造に用いる製造印刷媒体の分光反射率と、調色印刷媒体の分光反射率とを確認し、大きく分光反射率が異なっていないことを確認する。このとき、大きく異なる場合、製造印刷媒体と調色印刷媒体とが異なる種類である場合も考えられるため、担当者は、再度の調色（再調色）を調色センターに対して依頼し、処理Ｆ１からの処理を繰り返す。
【００６７】
そして、担当者は、作成した配合インキを製造印刷媒体に印刷し、印刷した再現色の分光反射率を計測し、再現色の分光反射率と同等であることを確認する。この際、すでに述べたように、製造印刷媒体に印刷された再現色の色度が、再現色の色度が見本色の色度に対応して生成された色域内判定情報及び色域外判定情報における許容範囲に含まれているか否かを示す判定結果をユーザに示す。ここで、担当者は、調色支援システム１にアクセスして、製造印刷媒体に印刷された再現色の分光反射率を送信し、判定結果を確認する。
【００６８】
処理Ｆ１０：
調色支援システム１は、図７（ａ）及び図７（ｂ）に示す表示画面に、再現色の色度座標３００を赤く表示し、インキの色域において、色相角範囲Ｈwと明度彩度角範囲ＬＣwとにより設定された許容範囲に入っていないことを、調色者に対して提示する。
調色者は、ａ＊ｂ＊座標系（色相）における再現色の色度座標３００及び許容範囲の位置関係と、Ｌ＊Ｃ＊座標系における色度座標３００及び許容範囲の位置関係と、表示画面に表示される色度座標３００及び許容範囲の座標との差分とにより、インキの色の配合比を調整する調色を行う。
【００６９】
処理Ｆ１１：
そして、調色者は、調色した結果のインキの色の配合比を調色支援システム１に再度入力し、処理Ｆ６からの処理を繰り返して行う。
【００７０】
従来、遠隔地から見本色の調色センターへの輸送、見本色に対応した配合インキの調色処理、調色したインキの遠隔地への輸送などにより時間を要したが、上述した本実施形態による調色支援システム１を用いた遠隔調色の装置構成により、調色情報の送信とインキ調色情報の送信（返送）のみで、見本色に対応した調色が行える。
このため、ユーザがから依頼されてから、再現色のユーザへの提示に要する時間を短縮することができる。
【００７１】
また、ベテランの調色者が調色センターに常駐することにより、遠隔地にベテランの調色者が存在しなくとも、リアルタイムに必要な調色処理が行えるため、ベテランの調色者が少人数であったとしても、ユーザの依頼する見本色に対応する再現色を得るための、色材の調色処理の作業を効率的に行うことができる。
また、調色支援システム１を用いることにより、調色が行えたことを、色域内判定情報または色域外判定情報と比較した表示画面により、ユーザが指定した色域において再現可能な最適な再現色であることを、ユーザに容易に示すことができ、複数回にわたる再調色の依頼を抑制することができる。
【００７２】
また、調色者が調色するのではなく、調色支援システム１に調色者（特にベテランの調色者）の経験による許容範囲の色度と再現色の色度とにおいて、色相（ａ＊座標、ｂ＊座標）の差分と、明度、彩度の各々の差分と、許容範囲の色度及び再現色の色度の位置関係とにより、インキの色の配合比を調整する調整量を調色データベースとしてデータベース化しておき、再現色判定部１５が上記調色データベースを参照して調色を行うように構成しても良い。
【００７３】
すなわち、再現色判定部１５は、調色データベースを参照して、色相（ａ＊座標、ｂ＊座標）の差分と、明度、彩度の各々の差分と、許容範囲の色度及び再現色の色度の位置関係とに対応した、インキの色の配合比を調整する調整量を読み出し、調色処理を行う。
この構成により、経験の少ない調色者であっても、ベテランの調色者と同様に、あるいは調色者が存在しなくとも、ベテランの調色者と同等の再現色を得るための色材の色の配合比を換えて調色を行うことが可能となる。
【００７４】
また、図５における調色支援システム１の機能を実現するためのプログラムをコンピュータ読み取り可能な記録媒体に記録して、この記録媒体に記録されたプログラムをコンピュータシステムに読み込ませ、実行することにより見本色に対応する再現色の生成における調色処理を支援する処理を行ってもよい。なお、ここでいう「コンピュータシステム」とは、ＯＳや周辺機器等のハードウェアを含むものとする。
【００７５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７６】
以上、この発明の実施形態を図面を参照して詳述してきたが、具体的な構成はこの実施形態に限られるものではなく、この発明の要旨を逸脱しない範囲の設計等も含まれる。
【符号の説明】
【００７７】
１…調色支援システム
２…カラークラウドサーバ
３…ＣＣＭサーバ
４…作業端末
５…ネットワーク
１１…再現色情報入手部
１２…判定情報振分部
１３…色域内判定情報生成部
１４…色域外判定情報生成部
１５…再現色判定部
１６…判定結果提示部
１７…記憶部
Ｈw…色相角範囲
ＬＣw…明度彩度角範囲
【図１】
2019184346.tif 000003
【図２】
2019184346.tif 000004
【図３】
2019184346.tif 000005
【図４】
2019184346.tif 000006
【図５】
2019184346.tif 000007
【図６】
2019184346.tif 000008
【図７】
2019184346.tif 000009
【図８】
2019184346.tif 000010
【図９】
2019184346.tif 000011
【図１０】
2019184346.tif 000012